(57)【要約】【課題】  装置全体の小型化を実現し、生産コストの低減を図る。【解決手段】  映像を投射するための投射光を出射するランプ２と、一端がランプ２に電気的に接続されてランプ２に電力を供給するための電源ケーブル４とこの電源ケーブル４の他端に電気的に接続されて設けられたコンタクト端子７とこのコンタクト端子７を保護するコネクタハウジング７とを有する電源コネクタ１０と、電源コネクタ１０を保持するためのコネクタ保持部５とを備える。そして、電源コネクタ１０には、コネクタ保持部５に係合される係合爪１１，１２が設けられる。【選択図】  図３
2005107371.tif 000002
【特許請求の範囲】
【請求項１】
映像を投射するための投射光を出射するランプと、
一端が前記ランプに電気的に接続されて前記ランプに電力を供給するための電源ケーブルと、前記電源ケーブルの他端に電気的に接続されて設けられた接続端子と、前記接続端子を保護するコネクタハウジングとを有する電源コネクタと、
前記電源コネクタを保持するためのコネクタ保持部とを備え、
前記電源コネクタおよび前記コネクタ保持部には、互いに係合される係合手段が設けられている光源装置。
【請求項２】
前記ランプを保護するランプハウジングを備え、
前記ランプハウジングには、前記コネクタ保持部が設けられている請求項１に記載の光源装置。
【請求項３】
前記係合手段は、前記コネクタハウジングの相対する両側面上にそれぞれ突設された一組の係合爪を有する請求項１また２に記載の光源装置。
【請求項４】
前記係合爪には、前記コネクタ保持部に対する挿入方向の端面に、前記コネクタハウジングの側面からの該係合爪の突出量が、挿入方向に向かって次第に小さくなるように傾斜面が設けられている請求項３に記載の光源装置。
【請求項５】
前記コネクタ保持部は、一組の前記係合爪がそれぞれ案内される一組のガイド溝を有し、前記ガイド溝に、前記係合爪に係合される係合部が設けられている請求項３または４に記載の光源装置。
【請求項６】
前記係合部には、前記電源コネクタの挿入方向の進入端に対向する端面に、前記ガイド溝の内面からの突出量が、挿入方向に向かって次第に大きくなるように傾斜面が設けられている請求項５に記載の光源装置。
【請求項７】
請求項１ないし６のいずれか１項に記載の光源装置を備え、前記光源装置から出射された投射光によって投射面上に映像を投射するプロジェクタ。
【請求項８】
映像を投射するための投射光を出射するランプと、
一端が前記ランプに電気的に接続され前記ランプに電力を供給するための電源ケーブルと、前記電源ケーブルの他端に設けられた接続端子と、前記接続端子を保護するコネクタハウジングとを有する電源コネクタと、
前記電源コネクタを保持するためのコネクタ保持部とを備える光源装置における前記電源コネクタであって、
前記コネクタハウジングには、前記コネクタ保持部に係合される係合手段が設けられていることを特徴とする電源コネクタ。
【請求項９】
前記係合手段は、前記コネクタハウジングの外周面上にそれぞれ突設された一組の係合爪を有する請求項８に記載の電源コネクタ。
【請求項１０】
前記係合爪には、前記コネクタ保持部に対する挿入方向の端面に、前記コネクタの側面からの該係合爪の突出量が、挿入方向に向かって次第に小さくなるように傾斜面が設けられている請求項８または９に記載の電源コネクタ。
【請求項１１】
映像を投射するための投射光を出射するランプと、
一端が前記ランプに電気的に接続されて前記ランプに電力を供給するための電源ケーブルと、前記電源ケーブルの他端に電気的に接続されて設けられた接続端子と、前記接続端子を保護するコネクタハウジングとを有する電源コネクタと、
前記ランプを保護するランプハウジングと、
前記電源コネクタを保持するためのコネクタ保持部とを備える光源装置における前記ランプハウジングであって、
前記電源コネクタには、前記コネクタハウジングの相対する両側面上に、前記コネクタ保持部に係合される一組の係合爪がそれぞれ突設され、
前記コネクタ保持部は、一組の前記係合爪がそれぞれ案内される一組のガイド溝を有し、前記ガイド溝に、前記係合爪に係合される係合部が設けられていることを特徴とするランプハウジング。
【請求項１２】
前記コネクタ保持部には、一組の前記ガイド溝が対向する位置にそれぞれ設けられている請求項１１に記載のランプハウジング。
【請求項１３】
前記係合部には、前記電源コネクタの挿入方向の進入端に対向する端面に、前記ガイド溝の内面からの突出量が、挿入方向に向かって次第に大きくなるように傾斜面が設けられている請求項１１または１２に記載のランプハウジング。
【請求項１４】
前記ガイド溝の内面の対向間隔は、一組の前記係合爪の先端間の距離よりも大きい請求項１２または１３に記載のランプハウジング。
【発明の詳細な説明】
【技術分野】
【０００１】
本発明は、投射面上に映像を投射するための投射光を出射する光源装置、およびこの光源装置を備えるプロジェクタ、ならびに光源装置に用いられる電源コネクタ、ランプハウジングに関する。
【背景技術】
【０００２】
従来、スクリーン等の投射面上に画像等の映像を投射するためのプロジェクタが知られている。例えば液晶プロジェクタでは、投射面上に投射する画像を表示するための液晶表示部と、この液晶表示部に投射光を出射するための光源装置と、この光源装置からの投射光を液晶表示部に導くための光学系とを有している。
【０００３】
従来の光源装置は、投射光を出射するランプと、このランプに電力を供給するための電源コネクタと、この電源コネクタを保持するためのコネクタ保持部を有し、ランプを保護するためのランプハウジングとを有している。
【０００４】
電源コネクタは、プロジェクタ側の内部電源に電気的に接続されたコネクタ端子に接続されるコンタクト端子と、このコンタクト端子を覆うコネクタハウジングと、コンタクト端子に供給された電力をランプに供給するための電源ケーブルとを有している。
【０００５】
コネクタハウジングには、外周部に、コネクタ保持部に固定するための固定片がそれぞれ設けられている。電源ケーブルは、一端がランプに電気的に接続されており、他端がコンタクト端子に電気的に接続されている。コネクタ保持部は、ランプハウジングの外周部に設けられており、電源コネクタのコネクタハウジングを固定するための固定部を有している。
【０００６】
そして、電源コネクタは、コネクタ保持部に保持された状態で、コネクタハウジングが、ランプハウジングのコネクタ保持部の固定部に固定ネジを介して固定されている。
【０００７】
コンタクト端子付き電源ケーブルを有する電源コネクタの従来の固定構造としては、コネクタハウジングの外周面の２箇所以上に保持片が設けられ、コネクタ保持部に１点以上の個所を固定ネジによって固定する構造が常用されていた。図６に、従来の電源コネクタおよびランプハウジングの斜視図を示す。図７に、従来の電源コネクタがランプハウジングに組み込まれる状態の分解斜視図を示す。
【０００８】
図６および図７に示すように、コネクタ保持部１１１には、コネクタハウジング１２０に設けられた２つの保持片１２１をそれぞれ支持するための支持部１１２がそれぞれ設けられ、これら支持部１１２に各保持片１２１を嵌め込むための溝がそれぞれ形成されている。この溝は、保持片１２１の幅寸法に対応する幅がやや大きくされ、保持片１２１の厚みとほぼ等しい深さ寸法で形成されている。さらに、コネクタ保持部１１１には、保持片１２１よりも外側に位置する部分にネジ穴（不図示）が設けられており、ネジ頭の一部を用いてコネクタハウジング１２０がコネクタ保持部１１１に固定されている。このとき、支持部１１２の溝の一部に係止部１２４が設けられており、この係止部１２４に一方の保持片１２１が係止されて、他方の保持片１２１をコネクタ固定ネジ１２３でネジ止めして固定している。
【０００９】
また、従来、保持片の全てを固定ネジによって固定する固定構造も開示されている。それぞれ取付部材に取り付けられて互に接続される第１および第２のコネクタは、一方が取付部材に対して揺動自在にされ、他方が取付部材に固定されるように構成することで、各第１および第２のコネクタを余裕をもって接続することができ、かつ、取付部材に対して無理な応力を与えることがないコネクタ装置の構成が開示されている（例えば、特許文献１参照。）。しかし、特許文献１の図２０に示されているように、電源ケーブルは、２本の固定ネジによってランプハウジングに固定されている。
【００１０】
光源に電力を供給するケーブルを接続する接続部にほぼ直交して開口部が設けられ、接続部から開口部にケーブルを引き回して配線することにより、光源の小型化を図ることができる構成が開示されている（例えば、特許文献２参照。）。この特許文献２には、光源に電力を供給するケーブルとして、より一層細いケーブルが使用できることが開示されているが、特許文献２の図１０および図１２に示されているように、電源ケーブルが、２本の固定ネジによってランプハウジングに固定されている。
【００１１】
一方、押しバネを使用してケーブルを保持する構成も開示されている（例えば、特許文献３参照。）。この特許文献３には、放電ランプおよび放電ランプからの放射光を反射するリフレクタの一体品を保持する高耐熱樹脂製のランプハウジングに、放電ランプに電源を供給するコネクタに電気的に接続される板バネで一体品を押止することによって、部品点数および組立工数を削減することができ、ランプ交換を容易化することができるとともに、軽量化および小型化を図ることができる構成が開示されている。
【００１２】
また一方、固定ネジを用いることなく、回転防止のためのリブならびに溝、および、倒れ防止のためのリブを備えることによって、クランプを安定させ、コネクタの取り付け作業を容易にする構成が開示されている（例えば、特許文献４参照。）。
【特許文献１】特開平１１−７２８４４号公報（図２０）
【特許文献２】特開２００１−３３８７６号公報（図１０，図１２）
【特許文献３】特開平９−２４５５０２号公報
【特許文献４】特開２００２−３３４７５３号公報
【発明の開示】
【発明が解決しようとする課題】
【００１３】
しかしながら、従来の固定方法では、コネクタハウジングに、固定ネジで押さえるための支持部を設ける必要があり、さらにコネクタ保持部に、コネクタハウジングの支持部を受けるための受け部分と、固定するための固定ネジを取り付ける部分とを設ける必要があり、これらの部分のためにランプハウジングの小型化を図る上で限界があった。
【００１４】
さらに、固定ネジを使用する固定構造では、そのネジ部品分の部品点数が増えてしまい、それに乗じて構造を組み立てる工数も、使用する固定ネジの本数に応じて増えてしまう傾向があった。このことは、工数削減に構造的な制限があることを意味しており、生産コストの低減を図ることが困難であるという問題があった。
【００１５】
また、固定ネジの本数の削減を考慮した場合にも、電源コネクタを保持するために最低限必要な本数分は削減できないので、資材コストの削減を図るのにも限界があった。さらに、ランプハウジングまたは電源ケーブルを交換する際は、ランプハウジングを取り外すために工具が必要であり、保守費用の削減にも限界があった。加えて、固定ネジを使用することにより、ネジ受け部を設けることが必須になるので、このネジ受け部が占める空間を削除できず、ランプハウジングの小型化を図る上で限界があった。
【００１６】
上述した特許文献１，２に開示されている従来の構成でも、ランプハウジングに電源コネクタを取り付けるために固定ネジを使用しており、生産コストおよび保守コストの削減を図るのに限界があるという問題であった。加えて、この従来の構成では、固定ネジを使用することで、ネジ受け部を設ける必要が生じるので、このネジ受け部を設けるための空間を削除できず、ランプハウジングの小型化を図る上で限界があった。
【００１７】
また、上述した特許文献３に開示されている従来の構成でも、固定ネジを使用しないものの、金属製の板バネを新規に使用することになり、この構成は固定ネジが金属製の板バネに代わっているだけなので、相変わらず生産コストの削減を図るのには限界があった。さらに、固定ネジを使用することにより、ネジ受け部を設けることが必須になるため、このネジ受け部の空間を削除できず、ランプハウジングの小型化を図る上で限界があった。
【００１８】
また、上述した特許文献４に開示された従来の構成では、固定ネジを使用しないものの、回転防止のためのリブおよび溝、ならびに倒れ防止のためのリブをそれぞれ設ける必要があるため、電源コネクタの保持構造全体を小型化することが困難であるという問題があった。
【００１９】
そこで、本発明は、小型化を図り、生産コストを低減することができる光源装置およびプロジェクタ、ならびに電源ケーブル、ランプハウジングを提供することを目的とする。特に、固定ネジを一本も使用することなく電源ケーブルをランプハウジングに容易かつ確実に固定させることができる光源装置およびプロジェクタを提供することを目的とする。
【課題を解決するための手段】
【００２０】
上述した目的を達成するため、本発明に係る光源装置は、映像を投射するための投射光を出射するランプと、
一端がランプに電気的に接続されてランプに電力を供給するための電源ケーブル、電源ケーブルの他端に電気的に接続されて設けられた接続端子、および接続端子を保護するコネクタハウジングを有する電源コネクタと、
電源コネクタを保持するためのコネクタ保持部とを備える。そして、電源コネクタおよびコネクタ保持部には、互いに係合される係合手段が設けられる。
【００２１】
以上のように構成した本発明に係る光源装置によれば、係合手段を介して電源コネクタがコネクタ保持部に係合されることによって、電源コネクタがコネクタ保持部に確実に保持されて、光源装置の小型化が図られる。
【００２２】
また、本発明に係る光源装置が備える係合手段の係合爪には、コネクタ保持部に対する挿入方向の端面に、コネクタハウジングの側面からの係合爪の突出量が、挿入方向に向かって次第に小さくなるように傾斜面が設けられることが好ましい。これによって、係合爪は、電源コネクタがコネクタ保持部に挿入される際に、傾斜面によってコネクタ保持部内に案内されるため、摩擦抵抗が小さくなり、コネクタ保持部に容易に進入することが可能にされる。
【００２３】
また、本発明に係る光源装置が備えるコネクタ保持部は、一組の係合爪がそれぞれ案内される一組のガイド溝を有し、このガイド溝に、係合爪に係合される係合部が設けられてもよい。これによって、一組の係合爪が一組のガイド溝に沿って案内されて、係合爪が係合部に確実に係合される。
【００２４】
また、本発明に係る光源装置が備えるコネクタ保持部の係合部には、電源コネクタの挿入方向の進入端に対向する端面に、ガイド溝の内面からの突出量が、挿入方向に向かって次第に大きくなるように傾斜面が設けられることが好ましい。これによって、係合爪は、係合部に係合される際に、係合部の傾斜面に沿って進入することで、係合部に容易に係合される。そして、係合部の突出量が大きくなっていることで、係合爪は、係合部に係合された状態で、電源コネクタが挿入方向の反対側に移動することが規制されるため、電源コネクタがコネクタ保持部から脱落することが防止される。
【００２５】
また、本発明に係るプロジェクタは、上述した本発明の光源装置を備え、この光源装置から出射された投射光によって投射面上に映像を投射する。
【００２６】
また、本発明の電源コネクタは、映像を投射するための投射光を出射するランプと、
一端がランプに電気的に接続されランプに電力を供給するための電源ケーブル、電源ケーブルの他端に設けられた接続端子、および接続端子を保護するコネクタハウジングを有する電源コネクタと、
電源コネクタを保持するためのコネクタ保持部とを備える光源装置における電源コネクタであって、コネクタハウジングには、コネクタ保持部に係合される係合手段が設けられる。
【００２７】
また、本発明に係るランプハウジングは、映像を投射するための投射光を出射するランプと、
一端がランプに電気的に接続されてランプに電力を供給するための電源ケーブル、電源ケーブルの他端に電気的に接続されて設けられた接続端子、および接続端子を保護するコネクタハウジングを有する電源コネクタと、
ランプを保護するランプハウジングと、
電源コネクタを保持するためのコネクタ保持部とを備える光源装置におけるランプハウジングである。電源コネクタには、コネクタハウジングの相対する両側面上に、コネクタ保持部に係合される一組の係合爪がそれぞれ突設される。そして、コネクタ保持部は、一組の係合爪がそれぞれ案内される一組のガイド溝を有し、ガイド溝に、係合爪に係合される係合部が設けられる。
【発明の効果】
【００２８】
上述したように本発明に係る光源装置およびプロジェクタ、ならびに電源コネクタ、ランプハウジングによれば、固定ネジを使用することなく電源コネクタをランプハウジングに容易かつ確実に固定することができるため、小型化を図り、生産コストを削減することができる。
【発明を実施するための最良の形態】
【００２９】
以下、本発明の具体的な実施形態について、図面を参照して説明する。
【００３０】
本実施形態の光源装置は、例えば液晶プロジェクタに用いられ、液晶表示部に表示された画像をスクリーン等の投射面上に投射するための光源装置である。図１に、本発明に係る光源装置の斜視図を示す。図２に、本発明に係る電源コネクタおよびハウジングベースを説明するための分解斜視図を示す。図３に、本発明に係る電源コネクタおよびコネクタ保持部の斜視図を示す。
【００３１】
図１に示すように、光源装置は、映像を投射するための投射光を出射するランプ２と、このランプ２に電力を供給するための電源コネクタ１０と、電源コネクタ１０を保持するためのコネクタ保持部５と、ランプ２を保護するためのランプハウジング１とを備えている。
【００３２】
ランプ２としては、例えば高圧水銀ランプやメタルハライドランプ等が用いられる。
【００３３】
電源コネクタ１０は、図２および図３に示すように、ランプ２に電力を供給するための電源ケーブル３１と、図示しないプロジェクタ側の内部電源に接続される接続端子である金属製のコンタクト端子７と、このコンタクト端子７を保護するコネクタハウジング６とを有している。
【００３４】
電源ケーブル３１は、ケーブル保持部３２によってコネクタハウジング６に固定されている。電源ケーブル３１は、一端が、コンタクト端子７に電気的に接続されており、他端がランプハウジング１内部でランプ２に電気的に接続されている。コンタクト端子７は、導電性を有する金属材料からなり、コネクタハウジング６の一側面に露出されて固定されている。コネクタハウジング６は、非導電性材料からなり、コンタクト端子７が設けられた側面の反対側の側面側に、電源ケーブル３１を保持するケーブル保持部３２が設けられている。
【００３５】
電源コネクタ１０は、コンタクト端子７が、プロジェクタ側が備える受け側のコネクタ端子に当接されることによって電気的な導通が得られ、プロジェクタ側の内部電源からコンタクト端子７、電源ケーブル３１を介してランプ２に電力が供給される。
【００３６】
コネクタ保持部５は、ランプハウジング１に一体に形成されている。ランプハウジング１は、弾性を有する樹脂材料によって形成されており、ランプ２を覆うランプカバー３と、このランプカバー３に組み合わされるハウジングベース８とを有している。
【００３７】
光源装置は、プロジェクタを構成する一部品であり、いわゆるランプ切れや明るさ等が劣化したときにランプ２を交換する際には、このランプハウジング１ごと取り外されて交換される。
【００３８】
上述したように、光源装置は、ランプハウジング１がプロジェクタ内の取り付け部に対して着脱された際に、電源コネクタ１０の抜き差し操作の前後においても内部電源との導通状態を良好に確保する必要がある。このため、電源コネクタ１０は、プロジェクタ側のコネクタ端子に対してコンタクト端子７を接続操作する際の容易性と確実性との両方の性能を良好に確保することが求められている。このため、電源コネクタ１０は、それ自体がある程度だけ遊動可能にするための所定の遊びが確保されている。
【００３９】
以下、光源装置の構成について、図面を参照して更に詳細に説明する。図４に、本発明に係る電源コネクタ１０がランプハウジング１のコネクタ保持部５に挿入される状態の正面図を示し、図５に、本発明に係る電源コネクタ１０がランプハウジング１のコネクタ保持部５に挿入された状態の断面図を示す。
【００４０】
図２および図３に示すように、電源ケーブル３１は、コネクタハウジング６に、図３中の下方から上方に向かって配置されており、この方向は電源コネクタ１０（コネクタハウジング６でも同じ）がランプハウジング１のコネクタ保持部５に対して挿入される方向と同一方向にされている。
【００４１】
したがって、図４に示したように、電源ケーブル３１は、最終的に途中でほぼ直角に折り曲げられた状態で、コネクタ保持部５に保持される。このように電源ケーブル３１が途中でほぼ直角に折り曲げられることによって、電源ケーブル３１に応力が加わり、その応力が元の状態、すなわち直線状（曲げがない状態）の初期状態に復帰しようとする復元力が生じる。
【００４２】
すなわち、このように復元力が生じるので、折曲された状態の電源ケーブル３１は、バネの作用すなわち弾性力を有している。この弾性力は、電源コネクタ１０がコネクタ保持部５内に挿入されて固定された後のランプハウジング１において、ランプハウジング１をプロジェクタから抜き差しするときに、電源ケーブル３１に適度な自由度が確保され、かつ適切な力が加わることにより、抜き差し操作を容易にし、さらには接続操作の確実性が向上されている。
【００４３】
電源コネクタ１０には、コネクタハウジング６の相対する両側面上に、コネクタ保持部５に係止される係合爪１１、１２がそれぞれ突設されている。コネクタハウジング６の外周部には、これらの係合爪１１、１２以外に突起部が存在しておらず、他の側面がほぼ平坦面に形成されている。コネクタハウジング６は、他の側面がほぼ平坦面に形成されることで、外周部に余分な部位が存在しないことを意味しており、電源コネクタ１０の外形寸法がほぼ最小にされ、小型化が図られている。
【００４４】
また、コネクタハウジング６の側面からの各係合爪１１、１２の突出量は、従来の電源コネクタの構成のように突起を固定ネジによって固定する固定構造と異なり、コネクタ保持部５側に係合させるために必要な突出量を確保するだけでよい。したがって、電源コネクタ１０は、係合爪１１，１２による固定構造が、電源コネクタ１０の小型化を実現するために好適であり、コネクタハウジング６の形状が大型化することが抑えられている。
【００４５】
また、図３に示すように、係合爪１１、１２の幅Ｗ2は、コネクタハウジング６の側面の幅Ｗ1よりも小さく形成されている。係合爪１１、１２の幅Ｗ2がコネクタハウジング６の幅Ｗ1と同等以上である場合には、電源コネクタ１０を保持するコネクタ保持部５が大きくなってしまうため、ランプハウジング１の小型化が阻害されてしまう。
【００４６】
さらに、各係合爪１１、１２には、図４に示すように、コネクタ保持部５に対する挿入方向の進入端側の端面、すなわち電源ケーブル３１側に臨む側端に、電源ケーブル３１側に向かって突出量が次第に小さくなるように傾斜面１１ａ，１２ａが設けられている。電源コネクタ１０は、係合爪１１，１２に傾斜面１１ａ，１２ａが設けられることによって、ランプハウジング１のコネクタ保持部５に対する挿入操作が容易にされている。
【００４７】
他方、係合爪１１、１２は、電源ケーブル３１と反対側の端面が、挿脱方向に対してほぼ垂直に形成されており、ランプハウジング１のコネクタ保持部５への挿入後に抜け難い構造にされている。つまり、係合爪１１、１２は、傾斜面１１ａ，１２ａと垂直面がそれぞれ形成されることにより、挿入し易くかつ抜き難い機能を実現している。
【００４８】
また、係合爪１１、１２は、挿入方向に対してコンタクト端子７側よりもコネクタハウジング６の電源ケーブル３１側に比較的近い位置に設けられている。各係合爪１１、１２が、コネクタハウジング６の電源ケーブル３１側とは反対側の端面近傍の位置に設けられた場合には、コネクタ保持部５の挿入方向の寸法を大きく形成する必要があり、小型化の阻害や生産コストの増加などの問題が生じる可能性が高くなる。例えばランプハウジング１をプロジェクタ内から挿抜するときのように電源コネクタ１０に外力が加わった場合には、係合爪１１、１２を回動支点として電源コネクタ１０が遊動することが予想される。
【００４９】
係合爪１１、１２が、電源コネクタ１０の重心から離れた位置に配置された場合には、比較的小さな外力で電源コネクタ１０が大きく動いてしまうため、挿抜時の確実性が損なわれてしまう。したがって、係合爪１１、１２は、電源コネクタ１０の重心に近い位置、すなわち、コネクタハウジング６の電源ケーブル３１側の端面に近い位置に設けられるのが適切である。
【００５０】
２つの係合爪１１、１２は、同一形状に形成されているとともに、挿入方向の軸線に対して対称な形状をなすコネクタハウジング６の対称な位置にそれぞれ設けられており、一組の電源ケーブル３１もコネクタハウジング６の対称な位置に設けられているので、一組の電源コネクタ１０も左右対称な形状である。したがって、コネクタ保持部５に対して電源コネクタ１０を挿入する際に、電源コネクタ１０の向き（方向）を特に注意することなく容易かつ確実に組み込むことができる。このため、光源装置によれば、製造工程における組立効率の向上および歩留まりの向上が図られ、生産コストを低減することができる。
【００５１】
ハウジングベース８には、図２に示すように、外周縁近傍に、電源コネクタ１０を保持するためのコネクタ保持部５が一体に設けられている。このコネクタ保持部５は、弾性を有する材料によって形成されており、対向する内面上に、一組のレール状のガイド溝２１、２２がそれぞれ設けられている。
【００５２】
これらのガイド溝２１、２２の内面上には、開口端近傍に、電源コネクタ１０の係合爪１１，１２に係合される突起２３、２４がそれぞれ一体に設けられている。コネクタ保持部５の側面の幅Ｗ0は、コネクタハウジング６の側面の幅Ｗ1とほぼ等しくされている。一方、図３に示すように、ガイド溝２１、２２の幅Ｗ3は、コネクタハウジング６の幅Ｗ1よりも狭く、かつ係合爪１１、１２の幅Ｗ2よりも広くされている。このようにガイド溝２１、２２の幅Ｗ3を定めることで、ランプハウジング１の外形を小さくすることができ、ランプハウジング１に挿入された電源コネクタ１０に自由度を与え、プロジェクタ内の取り付け部に対するランプハウジング１の挿抜操作を容易に行うことができる。
【００５３】
ガイド溝２１、２２に設けられた突起２３、２４の幅Ｗ4は、ガイド溝２１、２２の幅Ｗ3よりも狭くされている。これによって、電源コネクタ１０がコネクタ保持部５に挿入されるとき、電源コネクタ１０とコネクタ保持部５との接触面積が小さくされるため、電源コネクタ１０の挿入操作に必要な操作力を低減することができる。
【００５４】
さらに、ガイド溝２１、２２の内面上に設けられた突起２３、２４には、コネクタ保持部５に対して挿入される電源コネクタ１０の進入端に向かい合う端面に、ガイド溝２１，２２の内面からの突出量が、挿入方向に向かって次第に大きくなるように傾斜面２３ａ，２４ａがそれぞれ設けられており、電源コネクタ１０との摩擦抵抗を小さくして、挿入操作に必要な力をさらに低減させている。突起２３、２４は、ガイド溝２１、２２の開口端近傍に位置されている。
【００５５】
なお、突起２３、２４の位置を図５中下方に位置させた場合には、電源ケーブル３１が干渉して電源コネクタ１０を挿入することができなくなり、電源コネクタ１０の挿入方向に対する遊びがなくなってしまい、ランプハウジング１をプロジェクタ内に挿入して組み込むときに不都合が生じる可能性が高くなるため、好ましくない。
【００５６】
次に、電源コネクタ１０をランプハウジング１に挿入するときの各部の動作について説明する。
【００５７】
電源コネクタ１０のコネクタハウジング６がコネクタ保持部５内に挿入されたとき、コネクタハウジング６側の係合爪１１、１２が、コネクタ保持部５の突起２３、２４に当接される。この状態からさらに挿入する力を加えて電源コネクタ１０を圧入させると、弾性材料からなるコネクタ保持部５が外側に弾性変形して広がり、コネクタハウジング６側の係合爪１１、１２が突起２３，２４を乗り越えてガイド溝２１、２２の内壁に当接され、同時にコネクタ保持部５が元の状態に復帰する。
【００５８】
この一連の動作により、コネクタハウジング６側の係合爪１１，１２がコネクタ保持部５側の突起２３，２４にそれぞれ係止され、電源コネクタ１０がコネクタ保持部５内に固定される。このとき、コネクタハウジング６を固定するコネクタ保持部５は、ガイド溝２１、２２の内面の対向間隔が、各係合爪１１，１２の先端間の距離、すわなち、コネクタハウジング６の両側面間の幅と係合爪１１、１２の各突出量との合計の距離に等しくされている。したがって、上述した従来の構成のようにコネクタハウジング側の突起を支持するための支持部とネジ穴を設ける空間を確保する必要がないので、コネクタハウジング６だけではなくコネクタ保持部５も小型化することができる。
【００５９】
さらに、コネクタハウジング６をコネクタ保持部５内に取り付けるときは、上述したようにコネクタハウジング６をコネクタ保持部５に対して挿入方向に圧入するだけでよく、固定ネジ等によって固定する必要がないので、ネジ部品の削減、およびネジ締め工程を省くことができるため、取り付け工程を簡素化し生産効率を向上することができ、さらには生産コストの低減に直接的につながる。
【００６０】
上述したように、光源装置によれば、電源コネクタ１０がコネクタ保持部５に挿入された際に、コネクタ保持部５の突起２３、２４に、電源コネクタ１０の係合爪１１，１２がそれぞれ係合されることによって、固定ネジを使用することなく電源コネクタ１０をランプハウジング１に容易かつ確実に固定することが可能になるため、装置全体の小型化を図り、生産コストを低減することができる。
【００６１】
次に、以上のように構成された光源装置を備えるプロジェクタについて、簡単に説明する。
【００６２】
プロジェクタは、図示しないが、光源装置と、投射面上に投射させる画像を表示する液晶表示部と、光源装置から出射された光を液晶表示部に導く光路をなす光学系と、液晶表示部から出射された光を投射面上に投射するための投射レンズとを備えて構成されている。
【００６３】
なお、プロジェクタは、液晶表示部を備える構成に限定されるものでなく、例えば、カラーフィルタを有するカラーホイールを介して光源装置から照射された光を反射するためのＤＭＤ（デジタル・マイクロミラー・デバイス）を有する構成にされてもよいことは勿論である。
【００６４】
このようなプロジェクタによれば、小型化が図られた光源装置を備えることによって、プロジェクタ全体の小型化を図ることが可能になり、生産コストの低減を図ることができる。
【図面の簡単な説明】
【００６５】
【図１】本発明に係る実施形態の光源装置を示す斜視図である。
【図２】電源コネクタおよびハウジングベースを説明するための分解斜視図である。
【図３】電源コネクタおよびコネクタ保持部を示す斜視図である。
【図４】前記電源コネクタがランプハウジングのコネクタ保持部に挿入される状態を示す正面図である。
【図５】前記電源コネクタがランプハウジングのコネクタ保持部に挿入された状態を示す断面図である。
【図６】従来の電源コネクタおよびランプハウジングを示す斜視図である。
【図７】従来の電源コネクタがランプハウジングに組み込まれる状態を示す斜視図である。
【符号の説明】
【００６６】
１  ランプハウジング
２  ランプ
３  ランプカバー
４  電源ケーブル
５  コネクタ保持部
６  コネクタハウジング
７  コンタクト端子
８  ハウジングベース
１０  電源コネクタ
１１，１２  係合爪
２３，２４  突起
３１  電源ケーブル
３２  ケーブル保持部
１１１  コネクタ保持部
１１２  ネジ穴
１２０  コネクタハウジング
１２１  保持片
１２３  コネクタ固定ネジ
【図１】
2005107371.tif 000003
【図２】
2005107371.tif 000004
【図３】
2005107371.tif 000005
【図４】
2005107371.tif 000006
【図５】
2005107371.tif 000007
【図６】
2005107371.tif 000008
【図７】
2005107371.tif 000009